(57)【要約】【課題】２画面表示装置において、表示領域の位置によって視角の差が生じてクロストーク量が異なるという問題を低減する。【解決手段】第１画像と第２画像を夫々異なる視方向に判別可能に表示する表示パネル１１と、クロストーク補正テーブル２８，２９を有し、クロストーク補正テーブル２８，２９を用いてそれぞれ異なる画像に対してクロストーク補正を行うクロストーク補正部２１と、を有する表示装置１０であって、表示領域１２は複数の領域Ｄ１〜１２に分割され、クロストーク補正テーブル２８，２９はそれぞれが分割領域Ｄ１〜１２に対応した複数のクロストーク補正テーブル２８，２９からなる。【選択図】  図６
2011123403.tif 000002
【特許請求の範囲】
【請求項１】
複数の画素を有し、1画素は１以上のサブ画素からなり、前記サブ画素には第１画像と
第２画像が交互に隣接して表示される表示領域を有し、前記第１画像と前記第２画像を夫
々異なる視方向に判別可能に表示する表示パネルと、
クロストーク補正テーブルを有し、前記クロストーク補正テーブルを用いてそれぞれ異
なる画像に対してクロストーク補正を行うクロストーク補正部と、を有する表示装置であ
って、
前記表示領域は複数の領域に分割され、前記クロストーク補正テーブルはそれぞれが前
記分割された分割領域に対応した複数のクロストーク補正テーブルからなることを特徴と
する表示装置。
【請求項２】
前記表示領域は画素がマトリクス状に整列し、少なくとも１つの前記分割領域は非矩形
であることを特徴とする請求項１に記載の表示装置。
【請求項３】
前記クロストーク補正部はＮ（Ｎは２以上の正整数）フレーム中にＫ（Ｋは整数）階調
の前記クロストーク補正をＮ１（Ｎ１はＮ未満の正整数）フレーム行い、Ｋ＋１階調の前
記クロストーク補正をＮ−Ｎ１フレーム行うことを特徴とする請求項１に記載の表示装置
。
【請求項４】
前記表示パネルは前記第１画像と前記第２画像を夫々異なる視方向に判別可能にする遮
光層のスリットを備えていることを特徴とする請求項１に記載の表示装置。
【請求項５】
前記クロストーク補正テーブルは、補正対象のサブ画素の階調とこの隣接サブ画素の階
調に対応した補正データからなることを特徴とする請求項１に記載の表示装置。
【請求項６】
前記１画素は互いに異なる色のサブ画素からなり、前記クロストーク補正テーブルは、
補正対象のサブ画素の階調とこの隣接画素の同色のサブ画素の階調に対応した補正データ
からなることを特徴とする請求項１〜５のいずれかに記載の表示装置。
【発明の詳細な説明】
【技術分野】
【０００１】
本発明は、サブ画素が交互に隣接した第１画像と第２画像をスリットの遮光により夫々
異なる視方向に判別可能に表示する表示パネルを有する表示装置に関する。
【背景技術】
【０００２】
液晶表示パネルはＣＲＴ（Cathode Ray Tube：陰極線管）と比較して軽量、薄型、低消
費電力という特徴があるため、表示用として多くの電子機器に使用されている。その一方
で、近年の電子機器の多様化に伴い、複数の異なる画像をそれぞれ異なる視方向に判別可
能に表示する電子機器が開発された。その技術は、異なる画像の最小単位であるサブ画素
が交互に隣接してパネルに表示され、異なる視方向に判別可能に分離するもので、この分
離する技術の例としては、レンチキュラーレンズによるもの（特許文献１の図６参照）、
信号線に対向する位置の両側に設けられたストライプ状の突起パターンによるもの（特許
文献２の図１参照）、液晶シャッターの遮光パターンによるもの（特許文献３の図３及び
図１４参照）、遮光部材の遮光パターンによるもの（特許文献４の図３及び特許文献５の
図１８参照）がある。この遮光パターンの形状にはスライブのもの（特許文献３の図３参
照）や市松模様のもの（特許文献５の図１０参照）がある。
【０００３】
その用途の例としては、左右の目を異なる視方向とした立体画像表示装置（特許文献２
の段落番号０００８参照）、表示パネルを挟んで向き合った教師と生徒を異なる視方向と
する教材用の表示装置（特許文献４の図４参照）、運転席と助手席の２方向を異なる視方
向とする表示装置（特許文献１、２、３及び５）、運転席と助手席と後部席の３方向を異
なる視方向とする表示装置（特許文献３の図１４参照）がある。特に、安全運転上、運転
中には運転席方向にテレビジョン受信画像やＤＶＤ再生画像の表示を禁止するために、運
転席と助手席の２方向を異なる視方向とする表示装置が多く市販されている。
【０００４】
一方、液晶表示パネルにおいては、所定の階調の電圧が印加されても隣接サブ画素の階
調が異なるときは電気的なクロストークが発生して、異なる輝度になることがある。この
電気的なクロストークの原因は、走査線の電圧が切り替わることに伴って発生したスパイ
クが、画素に印加されている電圧実効値を変動させるためと考えられている。特に、上述
の複数の異なる画像をそれぞれ異なる視方向に判別可能に表示する電子機器においては、
隣接サブ画素に異なる画像が入力されるために、電気的なクロストークが多く発生する。
【０００５】
このため、液晶表示パネルを使用する液晶表示装置は、電気的なクロストーク補正を行
った電圧を液晶表示パネルに印加するようにしている。この補正方法は、下記特許文献６
の図２に開示されているように、設計者は予め被補正サブ画素の各階調と隣接サブ画素の
各階調の全組み合わせの補正データを実験で求めて電気的な補正テーブル（以降、「補正
テーブル」をＬＵＴ（Lookup Table）と称する）を作成して液晶表示装置のＥＥＰＲＯＭ
などに記憶させておく。液晶表示装置は、補正サブ画素の階調と隣接サブ画素の階調に対
応する補正データを電気的なＬＵＴから読み取り、これを補正サブ画素の階調に加算して
液晶表示パネルに出力するようにしている。
【０００６】
また、下記特許文献３〜６に開示されているように遮光パターンを有する電子機器にお
いては、遮光パターンのスリットに起因する光学的なクロストークも発生する。この光学
的なクロストークの原因は、隣接画素の同色のサブ画素からの光が遮光パターンのスリッ
トで回折して起こる光漏れによるものである。この補正方法は、下記特許文献６の図３に
開示されているように、設計者は予め被補正サブ画素の各階調と隣接画素の同色のサブ画
素の各階調の全組み合わせの補正データを実験で求めて光学的なＬＵＴを作成して液晶表
示装置のＥＥＰＲＯＭなどに記憶させておく。液晶表示装置は、補正サブ画素の階調と隣
接画素の同色のサブ画素の階調に対応する補正データを光学ＬＵＴから読み取って、これ
を補正サブ画素の階調に加算して液晶表示パネルに出力する。
【先行技術文献】
【特許文献】
【０００７】
【特許文献１】特開平７−１０３７８４号公報
【特許文献２】特開２００６−２７６５９１公報
【特許文献３】特開２００６−１８４８５９公報
【特許文献４】特開２００５−０９１５６１公報
【特許文献６】特開２００８−２６２１５７公報
【特許文献７】特開２００９−０８０２３７公報
【発明の概要】
【発明が解決しようとする課題】
【０００８】
上述のように、隣接サブ画素に基いたクロストーク補正や隣接画素の同色サブ画素に基
いたクロストーク補正が行われている。従来、この両方の補正方法は表示領域のどの位置
（中央や端）に対しても同じであった。しかしながら、厳密には表示領域の位置によって
隣接サブ画素に起因するクロストークと、隣接画素の同色サブ画素に起因するクロストー
クも表示領域の位置によってクロストーク量は異なっている。そのため、従来のクロスト
ーク補正では、適切な補正ができないという問題があった。
【０００９】
図１０Ａは運転席方向と助手席方向に異なる画像を表示するナビゲーション装置の視角
を示す図であり、図１０Ｂは表示領域のセンターズレ位置による視角の変化を示すグラフ
である。図１０Ａにおいて、Ｅ１は右ハンドル車での運転者の視点であり、例えば表示領
域の中央Ｓへの垂線に対して反時計方向に３０度であり、表示領域の中央Ｓから視点Ｅ１
の距離は７００ｍｍである。また、Ｅ２は右ハンドル車での助手席者の視点であり、表示
領域の中央Ｓへの垂線に対して時計方向に３０度であり、表示領域の中央Ｓから視点Ｅ２
の距離は７００ｍｍである。Ｐ１は７インチ型の表示領域の端を示し、中央Ｓから６０ｍ
ｍ離間している。Ｅ２からＰ１への視角は３４．０７°となり、Ｅ２から中央Ｓへの視角
３０°よりも４．０７°大きくなる。
【００１０】
Ｐ２は近年用いられている横長の表示領域の端を示し、中央Ｓから１４０ｍｍ離間して
いる。横長の表示領域はナビゲーションの画像にメーターなどを追加表示させるクラスタ
や、詳細図や拡大図の追加表示など２つのナビゲーション画像を表示するために用いられ
ている。Ｅ２からＰ２への視角は３８．９５°となり、Ｅ２から中央Ｓへの視角３０°よ
りも８．９５°大きくなる。Ｅは視点距離が表示領域の中央Ｓから７００ｍｍとなる任意
の視点であり、角度αはＥから中央Ｓへの視角であり、角度βはＥからＰへの視角である
。中央ＳからＰまでの離間距離をＬｍｍとすると、β＝ａｒｃｔａｎ（（７００ｓｉｎα
＋Ｌ）／７００ｃｏｓα）となる。図１０ＢはＬ＝６０及びＬ＝１４０としたときの角度
αと角度βの関係を示すグラフである。
【００１１】
従来は、運転者の視点Ｅ１や助手席者の視点Ｅ２を基準として、表示領域の端Ｐ１、Ｐ
２も中央Ｓと同じ方法でクロストーク補正されていた。図１０Ａ，図１０Ｂに示すように
中央Ｓからずれて離間するほど中央の視角３０°よりも大きい視角となる。このように、
視角が異なるので、レンチキュラーレンズ方式や遮光パターン方式などいずれの方式にお
いても、隣接サブ画素に起因するクロストークも、隣接画素の同色サブ画素に起因するク
ロストークも表示領域の位置によってクロストーク量が異なってくる。このために、表示
領域の端部では十分なクロストーク補正をすることができないという問題があった。特に
、この問題は表示領域の端がＰ２となる表示領域が長い車載用の表示装置で重視されてい
る。
【００１２】
本発明は、このような従来技術の問題点を解決すべくなされたものである。すなわち、
本発明の目的は、表示領域の位置に対応したクロストーク補正を行う表示装置を提供する
ことにある。
【課題を解決するための手段】
【００１３】
上記目的を達成するため、本発明の表示装置は、複数の画素を有し、１画素は１以上の
サブ画素からなり、前記サブ画素には第１画像と第２画像が交互に隣接して表示される表
示領域を有し、前記第１画像と前記第２画像を夫々異なる視方向に判別可能に表示する表
示パネルと、クロストーク補正テーブルを有し、前記クロストーク補正テーブルを用いて
それぞれ異なる画像に対してクロストーク補正を行うクロストーク補正部と、を有する表
示装置であって、前記表示領域は複数の領域に分割され、前記クロストーク補正テーブル
はそれぞれが前記分割された分割領域に対応した複数のクロストーク補正テーブルからな
ることを特徴とする。
【００１４】
表示領域の位置によって視点からの視角が異なるために、表示領域の位置によって隣接
サブ画素に起因するクロストークも、隣接画素の同色サブ画素に起因するクロストークも
表示領域の位置によってクロストーク量が異なっているという問題が生じる。本発明の表
示装置によれば、表示領域の位置によって異なるクロストーク補正テーブルを使用するこ
とにより、表示領域の位置によるクロストークの差異を緩和することができる。
【００１５】
また、本発明の表示装置においては、前記表示領域は画素がマトリクス状に整列し、少
なくとも１つの前記分割領域は非矩形であることが好ましい。
【００１６】
本発明の表示装置によれば、このように分割領域が非矩形、例えば、分割領域の縦方向
（信号線の延在方向）が直線でなく、ジグザグであれば、分割領域の境界線が見えにくく
なる。
【００１７】
また、本発明の表示装置においては、前記クロストーク補正部はＮ（Ｎは２以上の正整
数）フレーム中にＫ（Ｋは整数）階調の前記クロストーク補正をＮ１（Ｎ１はＮ未満の正
整数）フレーム行い、Ｋ＋１階調の前記クロストーク補正をＮ−Ｎ１フレーム行うことが
好ましい。
【００１８】
本発明の表示装置によれば、フレームレートコントロールで最小単位が見かけ上の１階
調未満の補正を行うことにより、分割領域の境界線での諧調変化をさらに細かくすること
ができ、境界線が見え難くなる。
【００１９】
また、本発明の表示装置においては、前記表示パネルは前記第１画像と前記第２画像を
夫々異なる視方向に判別可能にする遮光層のスリットを備えていることが好ましい。
【００２０】
遮光層のスリットによって、異なる画像を運転席方向と助手席方向に判別可能にするナ
ビゲーション装置が多く市販されている。本発明の表示装置によれば、このナビゲーショ
ン装置に本発明を適用することができる。
【００２１】
また、本発明の表示装置においては、前記クロストーク補正テーブルは、補正対象のサ
ブ画素の階調とこの隣接サブ画素の階調に対応した補正データからなることが好ましい。
【００２２】
本発明の表示装置によれば、電気的なクロストークなど、隣接サブ画素によるクロスト
ークが表示領域の位置によって異なるという問題に対処して、クロストークを低減するこ
とができる。
【００２３】
また、本発明の表示装置においては、前記１画素は互いに異なる色のサブ画素からなり
、前記クロストーク補正テーブルは、補正対象のサブ画素の階調とこの隣接画素の同色の
サブ画素の階調に対応した補正データからなることが好ましい。
【００２４】
本発明の表示装置によれば、遮光パターンのスリットでの光回折に起因する光学クロス
トークなどの隣接画素の同色サブ画素によるクロストークが表示領域の位置によって異な
るという問題に対処して、クロストークを低減することができる。
【図面の簡単な説明】
【００２５】
【図１】液晶表示パネルの画素配列を示す図である。
【図２】２画面の合成を示す図である。
【図３】図３Ａは２画面の画像分離の原理を示す断面図であり、図３Ｂは遮光層の遮光パターンを示す平面図である。
【図４】図４Ａはクロストークの発生を示す平面図であり、図４Ｂはクロストークの発生を示す断面図である。
【図５】本実施形態に係る表示装置の概要を示すブロック図である。
【図６】図５のクロストーク補正部の概要を示すブロック図である。
【図７】表示領域の分割を示す平面図である。
【図８】図８Ａは自身基準のＬＵＴを示す図であり、図８Ｂは白基準のＬＵＴを示す図であり、図８Ｃは黒基準のＬＵＴを示す図である。
【図９】図９Ａは４フレームを１周期とするＦＲＣのサブ画素配置の例を示す図であり、図９Ｂはその補正値を示す表である。
【図１０】図１０Ａは表示領域の中央Ｓからずれた位置の視角偏差を示す図であり、図１０Ｂはそのグラフである。
【発明を実施するための形態】
【００２６】
以下、実施形態及び図面を参照にして本発明を実施するための形態を説明するが、以下
に示す実施形態は、本発明をここに記載したものに限定することを意図するものではなく
、本発明は特許請求の範囲に示した技術思想を逸脱することなく種々の変更を行ったもの
にも均しく適用し得るものである。なお、この明細書における説明のために用いられた各
図面においては、各層や各部材を図面上で認識可能な程度の大きさとするため、各層や各
部材毎に縮尺を異ならせて表示しており、必ずしも実際の寸法に比例して表示されている
ものではない。
【００２７】
本実施形態の表示装置１０は、運転席方向にナビゲーション画像を、助手席方向にＤＶ
Ｄ再生画像を判別可能に表示する表示装置である。まず、表示装置１０の液晶表示パネル
１１の表示領域１２の構成について説明する。図１は表示領域１２の画素を示す図である
。表示領域１２は走査線（図示せず）の延在方向（横方向）に１４４０画素、信号線（図
示せず）の延在方向（縦方向）に５４０画素からなっている。１画素は横方向に整列した
Ｒ（赤）・Ｇ（緑）・Ｂ（青）の３つのサブ画素からなり、１画素は略正方形であり、１
画素の色は３つのサブ画素の混色となる。図２に示すように、表示領域１２に表示される
画像は、右ハンドル車での運転席方向に表示される第１画像と右ハンドル車での助手席方
向に表示される第２画像がサブ画素単位で市松模様（チェスの白黒模様）に取捨選択され
た合成画像である。
【００２８】
図３Ａに示すように、液晶表示パネル１１には表示面側に遮光バリア１３が成膜されて
おり、図３Ｂに示すように、遮光バリア１３には市松模様状のスリット１４の遮光パター
ンが形成されている。図３Ａに示すように、交互に隣接して表示される第１画像のサブ画
素と第２画像のサブ画素は遮光バリア１３のスリット１４によって、運転席方向では第２
画像が視認されることができずに第１画像のみ視認され、助手席方向では第１画像が視認
されることができずに第２画像のみ視認される。例えば、運転席方向ではナビゲーション
画面のみが視認され、助手席方向ではＤＶＤ画面のみが視認されるようになっている。運
転席方向と助手席方向では液晶表示パネル１１の表示面の垂線に対してそれぞれ３０度傾
斜した角度が最もそれぞれの画像の輝度が高くなるように遮光バリア１３が形成されてい
る。
【００２９】
図２のように異なる画像が隣接した合成画像では、合成されない画像と比較して、隣接
サブ画素に異なる階調の電圧が印加されることが多くなる。隣接サブ画素に異なる階調の
電圧が印加されると電気的なクロストークが発生し易くなる。電気的なクロストークの原
因は、走査線の電圧が切り替わることに伴って発生したスパイクが、画素に印加されてい
る電圧実効値を変動させるためと考えられている。例えば、図４Ａに示すように、左視方
向の画像が中間調グレーの背景に中央が黒で、右視方向の画像が中間調グレーベタのとき
は、右視方向の画像の中央が電気的なクロストーク（図４ＢのＥ−ＸＴ）によって電圧が
変動してしまうので少し濃い中間調グレーになって表示される。電気的なクロストークは
上述の合成画像に限らず、隣接サブ画素の階調が異なるときに発生するが、特に、合成画
像では異なる画像のサブ画素が隣接するために非常に大きなクロストークとなる。このた
めに、表示装置１０では電気的なクロストークの補正が必要である。また、図４Ｂに示す
ように、遮光バリア１３のスリット１４で光の回折が生じて、隣接画素の同色のサブ画素
からの光が漏れる。この光学的なクロストーク（図４ＢのＯ−ＸＴ）の補正も必要である
。
【００３０】
図５はこれらの電気的なクロストークの補正と光学的なクロストークの補正を行うクロ
ストーク補正部を備えた表示装置１０を示すブロック図である。表示装置１０は、ナビゲ
ーション部１５、ＤＶＤ再生部１６、選択部１７、２画面合成部１８、ＥＥＰＲＯＭ１９
、ＥＥＰＲＯＭコントローラー２０、クロストーク補正部２１、出力信号生成部２２、液
晶表示部２３を有する。ナビゲーション部１５は合成前のナビゲーション画像を出力し、
ＤＶＤ再生部１６は合成前のＤＶＤ再生画像を出力する。選択部１７は、図２の合成前の
第１画像としてナビゲーション部１５から出力されるナビゲーション画像かＤＶＤ再生部
１６から出力されるＤＶＤ再生画像を選択し、また、第２画像としてナビゲーション部１
５から出力されるナビゲーション画像かＤＶＤ再生部１６から出力されるＤＶＤ再生画像
を選択する。例えば、車両が停止しているときは、選択部１７は第１画像も第２画像もＤ
ＶＤ再生画像を選択し、車両が走行中は第１画像としてナビゲーション画像を選択し、第
２画像としてＤＶＤ再生画像を選択する。
【００３１】
２画面合成部１８は選択部１７が選択した第１画像と第２画像を図２のように市松模様
に取捨選択して２つの画像を合成する。ＥＥＰＲＯＭ１９には、後述の分割領域Ｄ１〜１
２に対応したＲ、Ｇ、Ｂそれぞれの電気補正テーブルと光学補正テーブルが記憶されてい
る。電気補正テーブルには補正対象のサブ画素の全ての階調に対する全ての隣接サブ画素
の階調の電気的な補正データが記憶され、光学補正テーブルには補正対象のサブ画素の全
ての階調に対する隣接画素の同色サブ画素の全ての階調の光学的な補正データが記憶され
ている。この補正データは実験で求められた値である。ＥＥＰＲＯＭコントローラー２０
はＥＥＰＲＯＭ１９の入出力を制御する。クロストーク補正部２１はＥＥＰＲＯＭ１９に
記憶される種々のＬＵＴを用いてクロストーク補正を行う。出力信号生成部２２はクロス
トーク補正部２１で補正された信号を液晶表示部２３で表示できるように極性やタイミン
グを制御する。液晶表示部２３は、遮光バリアを備え合成画像を表示するとともに第１画
像と前記第２画像を夫々異なる視方向に判別可能にさせる液晶表示パネル１１と、図示し
ないが、バックライト、ゲートドライバー、ソースドライバーなどを有し、出力信号生成
部２２からのＲ・Ｇ・Ｂデータを内部の液晶表示パネル１１に表示する。
【００３２】
図６はクロストーク補正部２１の詳細なブロック図である。クロストーク補正部２１は
前処理部２４、Ｒ処理回路２５、Ｇ処理回路２６、Ｂ処理回路２７を有する。前処理部２
４は同期信号に同期して、２画面合成部１８からの合成画像から必要なデータをＲ処理回
路２５、Ｇ処理回路２６、Ｂ処理回路２７に送出する。Ｒ処理回路２５、Ｇ処理回路２６
、Ｂ処理回路２７はそれぞれＲ、Ｇ、Ｂのクロストーク補正を行う。
【００３３】
まず、このクロストーク補正を行うためのＬＵＴについて説明する。図１０に示される
ように、表示領域１２の位置によって視角が異なるために、隣接サブ画素に起因するクロ
ストークも、隣接画素の同色サブ画素に起因するクロストークも表示領域の位置によって
クロストーク量が異なる。このために、本実施形態では、図７に示すように、表示領域１
２を１２分割し、それぞれの分割領域Ｄ１〜１２に対応したＬＵＴを設ける。その分割は
画素単位であり、走査線の延在方向である横方向の１４４０画素を１２分割した１２０画
素の区切りを分割の基準線Ｂとする。もし、基準線Ｂで分割すると、基準線Ｂの左右のＬ
ＵＴが異なることによる輝度の差が直線として見える恐れがある。そこで、本実施形態で
は、分割領域Ｄ１〜１２の境界線が直線にならないように、すなわち、分割領域Ｄ１〜Ｄ
１２の形状が矩形にならないようにして、境界線をわかりにくくしている。具体的には、
図７に示すように、基準線Ｂを略中央とするジグザグの境界線にしている。図７には分割
領域Ｄ１とＤ２の間しか拡大図を示していないが、他の分割領域Ｄ２〜１２の境界線も同
様にジグザグである。なお、ジグザグの位置を後述のＦＲＣによって徐々に変化させて境
界線をさらに見えにくくすることもできる。
【００３４】
本実施形態のサブ画素の階調データはノーマルブラックモードの６ビットであり、Ｒ・
Ｇ・Ｂのそれぞれの輝度は０階調〜６３階調の６４種類となる。また、本実施形態の表示
装置１０はノーマルブラックモードであり、０階調が黒であり、６３階調が白である。そ
こで、電気的なクロストークの補正テーブルである電気ＬＵＴは補正対象のサブ画素の階
調（０〜６３）とその右側の隣接サブ画素の階調（０〜６３）に基いて求められる補正値
のテーブルである。光学的なクロストークの補正テーブルである光ＬＵＴは補正対象のサ
ブ画素の階調（０〜６３）とその右側の隣接画素の同色サブ画素の階調（０〜６３）に基
いて求められる補正値のテーブルである。
【００３５】
電気ＬＵＴと光学ＬＵＴは補正データを０にする階調の基準をどこにするかにより、複
種類のＬＵＴがある。例えば、図８Ａは白基準の電気ＬＵＴと光ＬＵＴであり、電気ＬＵ
Ｔでは隣接サブ画素の階調が白の６３階調のときを補正データ０とし、光ＬＵＴでは右側
の隣接画素の同色サブ画素の階調が白の６３階調のときを補正データ０とする。図８Ｂは
他のサブ画素から影響を受けない状態を基準とする自身基準の電気ＬＵＴと光ＬＵＴであ
り、電気ＬＵＴでは両方の階調が等しいときを補正データ０とし、光学ＬＵＴでは隣接画
素の同色サブ画素の階調が光漏れのない黒の０階調のときを補正データ０とする。図８Ｃ
は黒基準の電気ＬＵＴと光ＬＵＴであり、電気ＬＵＴでは隣接サブ画素の階調が黒の０階
調のときを補正データ０とし、光学ＬＵＴでは右側の隣接画素の同色サブ画素の階調が黒
の０階調のときを補正データ０とする。白基準のＬＵＴは自身基準のＬＵＴと比較して階
調の差が目立つ輝度が低い部分の階調を広く補正することができるという長所がある。自
身基準のＬＵＴはコントラストが高いという長所がある。
【００３６】
Ｒ処理回路２５はそれぞれ分割領域Ｄ１〜１２に対応したＲの電気的な補正テーブルを
記憶するＲ電気ＬＵＴ−１〜１２（参照符号２８）と、それぞれ分割領域Ｄ１〜１２に対
応したＲの光学的な補正テーブルを記憶するＲ光ＬＵＴ−１〜１２（参照符号２９）と、
画素カウンター３０と、電気ＬＵＴ選択部３１と、光ＬＵＴ選択部３２と、演算部３３と
、ＦＲＣ処理回路３４を有する。Ｒ電気ＬＵＴ−１〜１２は前処理部２４から送出された
補正対象のサブ画素の階調と右隣のサブ画素の階調を入力して、それぞれＥＥＰＲＯＭ１
９から転送されて記憶している補正テーブルから電気的な補正データを抽出する。Ｒ光Ｌ
ＵＴ−１〜１２は前処理部２４から補正対象のサブ画素の階調と右隣の画素の同色サブ画
素の階調を入力して、それぞれＥＥＰＲＯＭ１９から転送されて記憶している補正テーブ
ルから光学的な補正データを抽出する。Ｒ電気ＬＵＴ−１〜１２とＲ光ＬＵＴ−１〜１２
の補正テーブルはそれぞれ対応する分割領域Ｄ１〜１２の中央部での補正データがあらか
じめ実験的に求められたテーブルである。たとえば、略中央の分割領域Ｄ７から端部の分
割領域Ｄ１２に向かって光クロストークの量が大きくなるときは、白基準、自身基準、黒
基準いずれにおいても、補正テーブルの補正量（補正データの絶対値）がＲ光ＬＵＴ−７
からＲ光ＬＵＴ−１２に向かうにしたがって大きくなる。例えば、補正対象サブ画素の階
調をｉ（ｉ＝０〜６３）とし、隣接画素の同色のサブ画素の階調をｊ（ｊ＝０〜６３）と
したときのｎ（ｎ＝１〜１２）番目の分割領域Ｄｎの光クロストーク補正テーブルの補正
データをＤｎ（ｉ，ｊ）とするとき、｜Ｄ７（ｉ，ｊ）｜≦｜Ｄ８（ｉ，ｊ）｜≦｜Ｄ９
（ｉ，ｊ）｜≦｜Ｄ１０（ｉ，ｊ）｜≦｜Ｄ１１（ｉ，ｊ）｜≦｜Ｄ１２（ｉ，ｊ）｜と
なる。
【００３７】
電気ＬＵＴ選択部３１は画素カウンター３０に基いて、１２個のＲ電気ＬＵＴ−１〜１
２の中から補正対象のサブ画素が属する分割領域Ｄ１〜１２のＲ電気ＬＵＴ−１〜１２を
抽出する。光ＬＵＴ選択部３２は画素カウンター３０に基いて、１２個のＲ光ＬＵＴ−１
〜１２の中から補正対象のサブ画素が属する分割領域Ｄ１〜１２のＲ光ＬＵＴ−１〜１２
を抽出する。演算部３３は電気ＬＵＴ選択部３１からの補正データと光ＬＵＴ選択部３２
からの補正データを加算する。
【００３８】
ＦＲＣ処理回路３４は、前処理部からの補正対象サブ画素の階調に演算部３３で合計され
た補正データを加算するとともに、画素カウンター２９に基いて、演算部３３から入力さ
れたＲのデータを、４フレームを１周期とするＦＲＣ（Frame Rate Control）を行い、Ｒ
データを出力信号生成部２２に出力する。図９ＡはＦＲＣのサブ画素配置の例を示す図で
あり、図９Ｂはその補正値を示す表である。液晶表示パネル１１の輝度の駆動制御は１階
調単位である。即ち、整数でない階調を指定することはできない。しかしながら、１画面
（１４４０画素×５４０画素）の周期、即ちフレーム周期は６０Ｈｚと速いことから、残
像を利用し、図９Ｂに示すように、４フレームを１周期として、１周期中に１階調増加さ
せるフレームを１つにした、見かけ上０．２５階調単位のＦＲＣを行う。例えば、１．７
５階調の期間中は、１周期の４フレーム中、１フレームを１階調にし、残り３フレームを
２階調にすれば、残像により１．７５階調に見えることとなる。また、フリッカを低減さ
せるために、図９Ａに示すように、１階調増加させるサブ画素の位置をフレームの位置を
変えて点在させる。Ｇ処理回路２６とＢ処理回路２７はＲ処理回路２５と同様の構成であ
り、それぞれ前処理回路からのＧデータとＢデータを分割領域に対応したＬＵＴを用いて
クロストーク補正し、出力信号生成部２２に出力する。このように、ＦＲＣ処理を行うの
で、きめ細かな表示ができるのはもちろんのこと、分割領域の境界線が見えにくくなる効
果もある。
【００３９】
上述の構成における表示装置１０の画像処理について説明する。表示装置１０の電源ス
イッチ（不図示）がＯＮにされると、ＥＥＰＲＯＭコントローラー２０はＥＥＰＲＯＭ１
９のそれぞれの分割領域に対応したそれぞれＲ，Ｇ，Ｂの電気補正テーブルと光学補正テ
ーブルをクロストーク補正部２１に転送する。図５に示すように、選択部１７は、第１画
像としてナビゲーション部１５から出力されるナビゲーション画像かＤＶＤ再生部１６か
ら出力されるＤＶＤ再生画像を選択し、また、第２画像としてナビゲーション部１５から
出力されるナビゲーション画像かＤＶＤ再生部１６から出力されるＤＶＤ再生画像を選択
する。２画面合成部１８は、選択部１７から入力される第１画像（１４４０画素×５４０
画素）と第２画像（１４４０画素×５４０画素）をサブ画素の市松模様に取捨選択して、
１つの画像（１４４０画素×５４０画素）を合成する。
【００４０】
クロストーク補正部２１の前処理部２４は同期信号に同期して、２画面合成部１８から
入力された合成画像から必要なデータをＲ処理回路２５、Ｇ処理回路２６、Ｂ処理回路２
７に送出する。Ｒ処理回路２５では、Ｒ電気ＬＵＴ−１〜１２は前処理部２４から補正対
象のサブ画素の階調と右隣のサブ画素の階調を入力して、それぞれＥＥＰＲＯＭ１９から
転送されて記憶している補正テーブルより電気的な補正データを抽出する。また、Ｒ光Ｌ
ＵＴ−１〜１２は前処理部２４から補正対象のサブ画素の階調と右隣の画素の同色サブ画
素の階調を入力して、それぞれＥＥＰＲＯＭ１９から転送されて記憶している補正テーブ
ルから光学的な補正データを抽出する。電気ＬＵＴ選択部３１は画素カウンター３０に基
いて、１２個のＲ電気ＬＵＴ−１〜１２の中から補正対象のサブ画素が属する分割領域Ｄ
１〜１２のＲ電気ＬＵＴ−１〜１２を抽出する。光ＬＵＴ選択部３２は画素カウンター３
０に基いて、１２個のＲ光ＬＵＴ−１〜１２の中から補正対象のサブ画素が属する分割領
域Ｄ１〜１２のＲ光ＬＵＴ−１〜１２を抽出する。演算部３３は電気ＬＵＴ選択部３１か
らの補正データと光ＬＵＴ選択部３２からの補正データを加算する。ＦＲＣ処理回路３４
は、前処理部からの補正対象サブ画素の階調に演算部３３で合計された補正データを加算
するとともに、画素カウンター３０に基いて、演算部３３から入力されたＲのデータを、
４フレームを１周期とするＦＲＣを行い、Ｒデータを出力信号生成部２２に出力する。
【００４１】
Ｇ処理回路２６とＢ処理回路２７はＲ処理回路２５と同様の処理を行い、それぞれ前処
理回路からのＧデータとＢデータを分割領域に対応したＬＵＴを用いてクロストーク補正
し、出力信号生成部２２に出力する。出力信号生成部２２はクロストーク補正部２１で補
正された信号を液晶表示部２３で表示できるように極性やタイミングを制御する。液晶表
示部２３は出力信号生成部２２からのＲ・Ｇ・Ｂデータを内部の液晶表示パネル１１に表
示する。
【００４２】
上述のように、本発明は、表示領域１２を分割し、その分割領域Ｄ１〜１２に対応した
クロストーク補正テーブルを使用することにより、表示領域の位置に対応したクロストー
ク補正を行う。これにより、表示領域の位置によって視角の差が生じてクロストーク量が
異なるという問題を低減することができる。
【００４３】
なお、上述の実施形態では走査線の延在方向（横方向）に表示領域を分割させて、その
方向のクロストーク量の差に対応したが、信号線の延在方向（縦方向）でも視角の差が生
じてクロストーク量が異なるので、信号線の延在方向にも表示領域を分割し、その分割領
域に対応したクロストーク補正テーブルを使用してもよい。また、上述の実施形態の異な
る画像をそれぞれ異なる視方向に判別可能に表示する技術は遮光バリアの市松模様のスリ
ットによるものであったが、液晶シャッターの遮光パターンによるものや、レンチキュラ
ーレンズによるものなど、他の方法による表示装置にも本発明を適用することができる。
また、上述の実施形態の表示パネルは液晶であったが、有機ＥＬなど、他の表示パネルに
も本発明を適用することができる。また、本発明はモノクロ表示あるいはモノカラーなど
、１画素が１サブ画素で構成される表示装置にも適用することができる。
【符号の説明】
【００４４】
１０…表示装置  １１…液晶表示パネル  １２…表示領域  １３…遮光バリア  １４…
スリット  １５…ナビゲーション部  １６…ＤＶＤ再生部  １７…選択部  １８…合成部
１９…ＥＥＰＲＯＭ  ２０…ＥＥＰＲＯＭコントローラー  ２１…クロストーク補正部
２２…出力信号生成部  ２３…液晶表示部  ２４…前処理部  ２５…Ｒ処理回路  ２６
…Ｇ処理回路  ２７…Ｂ処理回路  ２８…Ｒ電気ＬＵＴ−１〜１２  ２９…Ｒ光ＬＵＴ−
１〜１２  ３０…画素カウンター  ３１…電気ＬＵＴ選択部  ３２…光ＬＵＴ選択部  ３
３…演算部  ３４…ＦＲＣ処理回路  Ｂ…基準線  Ｄ１〜１２…分割領域  Ｅ−ＸＴ…電
気的なクロストーク  Ｏ−ＸＴ…光学的なクロストーク
【図１】
2011123403.tif 000003
【図２】
2011123403.tif 000004
【図３】
2011123403.tif 000005
【図４】
2011123403.tif 000006
【図５】
2011123403.tif 000007
【図６】
2011123403.tif 000008
【図７】
2011123403.tif 000009
【図８】
2011123403.tif 000010
【図９】
2011123403.tif 000011
【図１０】
2011123403.tif 000012